(57)【要約】      （修正有）【課題】膏薬または湿布薬、体に貼るカイロ、家庭用磁気治療器等を一人で背中へ貼るための膏薬貼付け具を提供する。【解決手段】球面の一部をなす凸面１０にシートヤスリ３０とシートヤスリ３０の近傍にスリット４０と、さらに、凸面１０の略中心位置に金属製ネジ６０を配設してなり、シートヤスリ３０の上に乗せた膏薬または湿布薬等を凸面１０に備えた柄２０を用いて背中の任意の部位に貼付け可能とした。【選択図】図１
0003227955.tif 000002
【実用新案登録請求の範囲】
【請求項１】
凸面にシートヤスリを配設してなり、該シートヤスリの上に乗せた膏薬を前記凸面に備えた柄を用いて背中の任意の部位に貼付け可能としたことを特徴とする背中への膏薬貼付け具。
【請求項２】
凸面に配設したシートヤスリの近傍にスリットを設けてなり、該スリットに膏薬の一端側または貼るカイロの一端側を引っ掛けて背中の所定部位に前記膏薬を貼付け可能にしたことを特徴とする請求項１記載の背中への膏薬貼付け具。
【請求項３】
凸面に金属製ネジを配設し、磁性を備えた家庭用磁気治療器を吸着可能にしたことを特徴とする請求項１記載の背中への膏薬貼付け具。
【請求項４】
シートヤスリに代えて両面粘着テープを所定に配設し、膏薬を保持可能にしたことを特徴とする請求項１記載の背中への膏薬貼付け具。
【考案の詳細な説明】
【技術分野】
【０００１】  本考案は膏薬または湿布薬、体に貼るカイロ、家庭用磁気治療器等を一人で背中へ貼るための補助具に関する。
【背景技術】
【０００２】  平均寿命の延伸に伴い一人暮らしが増えている。加齢に伴い身体の柔軟性が衰え後ろに手が回りにくくなっている。その様な状況の中、膏薬、湿布薬等を背中にうまく貼れず困ることがある。一人で湿布薬が貼りにくかったり、湿布薬がくしゃくしゃになったりする。先行技術として、楕円型又は菱型の本体１の中央部に、湿布７を置く湿布置き部３、その左右にガイド部、本体１の両端に通し部６、及び、左右に引っ張り部５を備え、ガイド部２は、本体１とで袋状を構成し、引っ張り部５は、紐状で、その先端部に長尺状の押さえ部４を有し、ガイド部２と通し部７を通されている構成であり、湿布置き部３に湿布７を置き、湿布７の左右の端を、押さえ部に貼って、仮固定した後、湿布貼り補助を背中に当て、引っ張り部を左右に引っ張って、押さえ部４から湿布を剥がしながら、背中に貼るようにしたことを特徴とする湿布貼り補助具が実用新案登録３１９０８７０号公報に提案されている。
【先行技術文献】
【特許文献】
【０００３】
【特許文献１】実用新案登録３１９０８７０号公報
【考案の概要】
【考案が解決しようとする課題】
【０００４】  しかしながら、特許文献１に記載の湿布貼り補助具は構成部品が多く、形状も大きい。本考案は、構成がシンプルで使いやすく、小形で、コストを低く抑えられる背中への膏薬貼付け具を提供することを目的とする。
【課題を解決するための手段】
【０００５】  本考案にかかる背中への膏薬貼付け具は、湾曲した凸面または球面の一部をなす凸面等にシートヤスリ（布ヤスリまたは紙ヤスリ）を配設してなり、該シートヤスリの上に乗せた膏薬または湿布薬等を前記凸面に備えた柄（取っ手）を用いて背中の任意の部位に貼付け可能としたことを特徴としたもので、一人で背中の任意の部位へ容易に膏薬等を貼付けできる。また、構成が簡単で小型、軽量である。【０００６】  さらに本考案にかかる背中への膏薬貼付け具は、前記凸面はシートヤスリの近傍にスリット（切れ目）を追加して設けてなる。該スリットに膏薬の一端側または貼るカイロの一端側等を引っ掛けて保持し、背中の所定部位に前記膏薬等を貼付け可能にしたことを特徴としたもので、膏薬または貼るカイロの搭載・保持を可能にし、一人で背中の任意の部位へ容易に膏薬等を貼付けできる。【０００７】  さらに本考案の背中への膏薬貼付け具は、前記凸面の略中央位置に金属製ネジを配設し、磁性を備えた家庭用磁気治療器を吸着可能にしたことを特徴としたもので、一人で背中の任意の部位へ前記家庭用磁気治療器を貼付けできる。【０００８】  さらに本考案にかかる背中への膏薬貼付け具は、シートヤスリに代えて、両面粘着テープを凸面の所定位置に配設し、膏薬を保持可能にしたことを特徴としたもので、重い湿布薬や滑りやすい基材の膏薬を凸面に保持可能にし、一人で容易に背中の任意の部署へ膏薬等を貼付けできる。【０００９】  さらに本考案にかかる背中への膏薬貼付け具は、凸面に長さ２０ｃｍ程度の柄（取っ手）を備えてなり、該柄に目盛りを備えたことを特徴としたもので、前記目盛りを用いて柄を握り、背中の目的とする部位へ繰り返し膏薬等をほぼ正確に貼付けできる。
【考案の効果】
【００１０】  本考案の背中への膏薬貼付け具は、小型・軽量、構成がシンプルで使いやすく、コストを低く抑えられる。背中の任意の部位へ一人で膏薬、湿布薬、体に貼るカイロ、家庭用磁気治療器等を貼付けできる。
【図面の簡単な説明】
【００１１】
【図１】  本考案の一実施例における背中への膏薬貼付け具の平面図
【図２】  図１の側面図
【図３】  図１を切断線Ｓ−Ｓで切断した断面図
【図４】  図３の底面図
【図５】  図１の凸面に膏薬を乗せた状態の平面図
【図６】  図５の側面図
【図７】  図１の凸面に体に貼るカイロを乗せた状態の平面図
【図８】  図７の側面図
【図９】  図３を切断線Ａ−Ａで切断した柄の要部断面図
【図１０】  図１の凸面中心部に配設する金属製ネジの斜視図
【図１１】  本考案の一実施例における背中への膏薬貼付け具の斜視図
【考案を実施するための形態】
【００１２】  以下、図１〜図１０を用いて本考案の一実施例における背中への膏薬貼付け具１００を説明する。球面の一部をなす凸面１０にシートヤスリ（布ヤスリまたは紙ヤスリ）３０を配設してなり、該シートヤスリ３０の上に乗せた膏薬７０（または湿布薬）を前記凸面１０に備えた柄（取っ手）２０を用いて背中の任意の部位に貼付け可能としたことを特徴とする。さらに、凸面１０はシートヤスリ３０の近傍にスリット４０（切れ目）を設けてなる。該スリット４０に膏薬７０の端または貼るカイロ８０の端側を引っ掛けて背中の所定部位に前記膏薬を貼付け可能にしたことを特徴とする。なお、前記スリット４０の幅を０．３ｍｍ〜１．０ｍｍ程度とした。
【００１３】  前記シートヤスリ３０の番手を＃４０程度とした。該番手＃４０は砥粒の出っ張りが高く、膏薬等との摩擦が大きい。その結果、凸面１０を斜めに傾けたり、立てても膏薬７０は凸面１０から滑り落ちず、シートヤスリ３０の上に膏薬７０を保持できる。
【００１４】  さらに、上記背中への膏薬貼付け具１００は凸面１０の略中心位置の頂部に磁石に吸着される金属（軟鋼、ＳＵＳ４３０等）からなる金属製ネジ（６０）を配設してなり、磁性を備えた家庭用磁気治療器（例えば、ピップエレキバン（商標登録））を吸着可能にしたことを特徴とする。
【００１５】  上記構成において、凸面１０をなす球面の曲率半径を８０ｍｍ〜１００ｍｍ程度に、凸面１０の外径寸法を略１００ｍｍ〜１５０ｍｍとした。柄２０の長さを略２０ｃｍとし所定間隔毎に目盛り５０を配設した。目盛り５０は背中の所望する位置に膏薬を貼るための持ち手位置を決める目安となる。柄２０の断面形状はたとえば図９に示す円弧状の一部とした。勿論、柄の断面形状は矩形や円形、矩形パイプ、円筒パイプ等としてもよい。さらに、本考案の膏薬貼付け具において、凸面１０と柄２０とを樹脂部材たとえばエポキシ樹脂、ＡＢＳ樹脂、ナイロン樹脂等で一体成型した。
【００１６】  凸面１０に接着材等で貼り付けるシートヤスリ３０は円形、半円形、矩形、帯状など任意の形状としてよい。図１では略半円形のシートヤスリ３０を所定の間隔を空け、対向させて配設した。さらに、前記シートヤスリ３０の間に金属製ネジ６０を配設してなる。さらに、前記シートヤスリ３０の近傍に直線状のスリット４０を配設してなる。なお、スリットの配設位置や形態は任意としてよいことは言うまでもない。例えば、矩形膏薬の両角部２箇所を引っ掛けられるハの字形等に配設してもよい。膏薬の四隅の角部を引掛けられる４箇所にスリットを配設してもよい。
【００１７】  上記構成において凸面１０を球面の一部とすることにより、凸面１０に乗せる膏薬は膏薬の長手方向を縦向きにも，横向きにも任意にセットして体に貼り付ける事ができる利点を備える。凸面１０の中央部に膏薬の長手方向を縦向きに配置して乗せた場合、凸面１０を背中に対して上下方向に回動させることにより膏薬の貼付けを行える。さらに、凸面１０の中央部に膏薬の長手方向を横向きに配置して乗せた場合、凸面１０を背中に対して左右方向に回動させることにより膏薬の貼付けを行える。
【００１８】  図１１に示す本考案のもう一つの背中への膏薬貼付け具２００は、湾曲した凸面２１０に矩形のシートヤスリ２３０を接着してなる。また、該シートヤスリ２３０の近傍に直線状のスリット２４０を配設してなる。さらに、凸面２１０の一端側を延設して所定長さの柄２２０を備えた構成とした。さらに、柄２２０には所定間隔毎に目盛り２５０を配設してなる。湾曲面の曲率半径を８０ｍｍ〜１００ｍｍ程度に、凸面２１０の外形寸法を縦長さ１００ｍｍ〜１５０ｍｍ、横幅１００ｍｍ〜１２０ｍｍ程度とした。スリットの幅は貼るカイロの端部を挿入可能な０．３ｍｍ〜１ｍｍ程度の寸法とした。凸面２１０及び柄２２０はアクリル樹脂、ポリエステル樹脂、ＡＢＳ樹脂等の樹脂部材で一体成型した。樹脂厚は２ｍｍ〜５ｍｍ程度とした。
【００１９】  なお、上記実施例において、シートヤスリに代えて、両面粘着テーブを所定に配設し、膏薬を保持可能にしてもよいことは先に記した。両面粘着テープの面積は膏薬や貼るカイロ等の粘着力より小さくなる寸法に設定することが望ましい。例えば、６ｍｍ〜１０ｍｍ角程度とし、膏薬等の両角部分や四隅を接着できる間隔位置に配設すればよい。繰り返し貼れる弱い粘着力の部材を用いてもよい。なお、凸面を形成する樹脂厚さは膏薬等を背中に押圧しても撓まない寸法や断面形状に設定することが望ましい。
【００２０】  上記構成により本考案の背中への膏薬貼付け具は、小型・軽量で、構成がシンプルで使いやすく、コストを低く抑えられる。背中の任意の部位へ一人で膏薬、湿布薬、家庭用磁気治療器等を貼付けできる。
【産業上の利用可能性】
【００２１】  本考案は膏薬や湿布薬だけでなく、体に貼るカイロや家庭用磁気治療器の貼付けにも利用出来る。また、凸面に矩形または円形等の突起を配設し、該突起に塗り薬を塗布することにより、背中への塗り薬の塗布にも利用できる。
【符号の説明】
【００２２】１０、２１０  凸面
２０、２２０  柄
３０、２３０シートヤスリ
４０、２４０  スリット
５０、２５０  目盛
６０  金属製ネジ
７０  膏薬
８０  貼るカイロ
１００、２００  膏薬貼付け具
【図１】
0003227955.tif 000003
【図２】
0003227955.tif 000004
【図３】
0003227955.tif 000005
【図４】
0003227955.tif 000006
【図５】
0003227955.tif 000007
【図６】
0003227955.tif 000008
【図７】
0003227955.tif 000009
【図８】
0003227955.tif 000010
【図９】
0003227955.tif 000011
【図１０】
0003227955.tif 000012
【図１１】
0003227955.tif 000013